(57)【要約】【課題】目的の船舶が通信可能圏内に居るかどうかが簡単に判別でき、当該船舶を短時間で呼び出すことができる船舶無線装置を提供することを目的とする。【解決手段】圏内判定部１３には、他の船舶それぞれについての運航情報や固有情報を情報要素として配列した他船舶情報を含んでいる他船舶情報信号Ｉが入力され、この他船舶情報に基づいて、予め設定された識別番号の船舶との距離が予め設定された通信可能圏内の距離以下かにより通信可能圏内かを判定し、結果と呼び出すべき船舶を選択するためのキー入力番号をそれぞれの船舶の情報要素に追加し、この情報要素を表示部１６および船舶選択部１４に出力する。表示部１６は、判定結果、固有情報、キー入力番号を一覧にして表示し、船舶選択部１４は、判定結果表示中にキー入力番号に一致するキーが入力されると、対応する船舶の情報要素を呼出信号生成部１５に入力して呼出信号を生成させる。【選択図】図１
2008160706.tif 000002
【特許請求の範囲】
【請求項１】
複数の他の船舶それぞれの識別情報および距離情報を含んだ他船舶情報を取得し、予め設定された識別情報の船舶との距離を、予め設定された無線通信の通信可能圏内の距離と比較して通信可能圏内か否かを判定する圏内判定手段と、該圏内判定手段の判定結果を船舶の識別情報とともに表示する表示手段とを備えることを特徴とする船舶無線装置。
【請求項２】
前記圏内判定手段は、前記判定結果に含まれる船舶それぞれにキー入力手段のキーの一つを割り当て、前記表示手段は、判定結果、船舶の識別情報とともに前記割り当てられたキーの識別情報を表示し、前記判定結果表示中に前記キー入力手段から入力されたキーが前記割り当てられたキーに一致するとき、該キーに対応する船舶に呼出信号を送信することを特徴とする請求項１に記載の船舶無線装置。
【発明の詳細な説明】
【技術分野】
【０００１】
本発明は、船舶無線装置に関し、特に、他の船舶の呼出を自動的に行う船舶無線装置に関する。
【背景技術】
【０００２】
従来、船舶に搭載される無線通信装置においては、他の船舶を呼び出すための周波数チャネルである呼出チャネルが割り当てられている。呼出チャネルは、船舶の安全運航の観点から世界共通の周波数を用いるように規定されているものである。
【０００３】
他の船舶を呼び出すためには、無線通信装置の周波数チャネルを呼出チャネルに設定し、お互いを認識した後には、個別の通信用の運用チャネルに切り換えて無線通信を行う。
【０００４】
この、呼出チャネルの設定、他の船舶の呼出、運用チャネルへの切換までの一連の動作を迅速に行うための装置として、ＤＳＣ（Digital Selective Calling）装置が広く用いられている。
【０００５】
ＤＳＣ装置を搭載する船舶には全て識別番号が割り当てられており、この識別番号を用いて一連の動作が行われる。
【０００６】
他の船舶を呼び出す場合は、ＤＳＣ装置に呼び出したい船舶の識別番号と呼出後に用いる運用チャネルに関する情報を入力する。
【０００７】
ＤＳＣ装置は、呼び出したい船舶の識別番号と運用チャネルに関する情報を含んだ呼出信号を生成し、呼出チャネルを使って送信する。
【０００８】
呼出信号を受信したＤＳＣ装置は、呼出信号の識別番号と自身の識別番号を照合し、自身が呼び出されているかを監視する。
【０００９】
ＤＳＣ装置は、呼出信号の識別番号と自身の識別番号が一致すると、他の船舶から呼び出された旨の表示を行い、呼出信号の運用チャネルに関する情報に基づいて無線通信の周波数チャネルを運用チャネルに設定し、呼出元の船舶との無線通信が可能な状態に設定する。
【００１０】
このように、ＤＳＣ装置によれば、呼び出そうとする船舶の識別番号と呼出後に使用する運用チャネルを指定することで、相手船舶の呼出から運用チャネルの設定までの一連の動作処理が自動的に行われる。
【００１１】
ＤＳＣ装置によって他の船舶を呼び出すためには、呼び出したい船舶の識別番号を予め知っておく必要がある。
【００１２】
船舶の識別番号を航行中に知る手段として、ＡＩＳ（Automatic Identification System）がある。このシステムは、各船舶に搭載された船舶識別装置が、自身の識別番号や、位置、速度等の航行情報を無線通信によって報知するとともに、他の船舶の識別番号や航行情報を無線受信して、他の船舶の位置をグラフィックに表示したり、他の船舶の識別番号や位置などの固有情報を並べて表示したりすることができる（例えば、特許文献１参照）。
【００１３】
船舶識別装置では、複数の他の船舶の識別番号や航行情報等を表示することができるため、操作者は、自身の船舶から所定の範囲内に存在する船舶の動向をそれらの識別番号等とともに把握することができる。
【特許文献１】特開２００３−４８５９５号公報
【発明の開示】
【発明が解決しようとする課題】
【００１４】
ＤＳＣ装置で使用しているＶＨＦ帯での通信可能距離は、アンテナの設置条件にもよるが、通常は数十km程度である。
【００１５】
海岸局と通信する場合は、自身の船舶位置により通信可否が判断できるが、通信相手が運航中の船舶である場合、ＶＨＦ帯での通信可能範囲に存在するか否かの判断が難しい。
【００１６】
例えば、定期航路を運航する船舶同士が、すれ違う際に情報交換のための通信を行う場合、相手船舶が通信可能圏内に入ってくるまで呼出チャネルで何度も相手を呼び出さなければならない。また、相手船舶が通信可能圏内に入ってこないと、通信コストのかかる衛星電話を使用しなければならない。
【００１７】
また、船舶識別装置によれば、相手船舶が通信可能圏内に居るかどうかを判断することができるが、相手船舶が通信可能圏内に入ってくるまで相手船舶の情報を注意して見ていなければならず、手間がかかっていた。
【００１８】
また、ＤＳＣ装置と船舶識別装置とは別個独立に構成された装置であり、船舶識別装置の表示部を参照して通信可能圏内に居るかどうかを判断し、通信可能圏内に入ってきたと判断したとき、船舶の識別番号を手作業のキー入力によりＤＳＣ装置に入力する必要があるため、船舶を呼び出すまでの操作に長時間を要する。
【００１９】
そこで、本発明は、他の船舶の識別番号や航行情報を受信する装置からの情報を利用し、目的の船舶が通信可能圏内に居るかどうかが簡単に判別でき、当該船舶を短時間で呼び出すことができる船舶無線装置を提供することを目的とする。
【課題を解決するための手段】
【００２０】
上記課題を解決する発明は、複数の他の船舶それぞれの識別情報および距離情報を含んだ他船舶情報を取得し、予め設定された識別情報の船舶との距離を、予め設定された無線通信の通信可能圏内の距離と比較して通信可能圏内か否かを判定する圏内判定手段と、該圏内判定手段の判定結果を船舶の識別情報とともに表示する表示手段とを備えることを特徴とするものである。
【００２１】
この発明では、予め設定された船舶が予め設定された無線通信の通信可能圏内に居るかどうかが表示手段に表示される。したがって、目的の船舶が通信可能圏内に居るかどうかを簡単に判別することができる。
【００２２】
ここで、前記圏内判定手段は、前記判定結果に含まれる船舶それぞれにキー入力手段のキーの一つを割り当て、前記表示手段は、判定結果、船舶の識別情報とともに前記割り当てられたキーの識別情報を表示し、前記判定結果表示中に前記キー入力手段から入力されたキーが前記割り当てられたキーに一致するとき、該キーに対応する船舶に呼出信号を送信することとした。
【００２３】
このようにすれば、通信可能圏内に居る目的の船舶を短時間で呼び出すことができる。
【発明の効果】
【００２４】
本発明によれば、他船舶情報に基づいて予め設定された船舶が予め設定された無線通信の通信可能圏内に居るかどうかを判定し、判定結果を表示手段に表示しているので、目的の船舶が通信可能圏内に居るかどうかを簡単に判別することができる。
【００２５】
また、判定結果に含まれる船舶それぞれにキー入力手段のキーを割り当て、割り当てられたキーの識別情報を判定結果とともに表示し、判定結果表示中のキー入力が割り当てられたキーと一致するとき、該キーに対応する船舶に呼出信号を送信するようにすれば、通信可能圏内に居る目的の船舶を短時間で呼び出すことができる。
【発明を実施するための最良の形態】
【００２６】
以下、本発明を図面を参照して説明する。
【００２７】
図１は本発明の一実施形態の船舶無線装置を示す図である。図中の矢印は情報の流れを示し、そのうち制御に関する情報の流れについては破線により示している。
【００２８】
図１に示すように、本実施形態の船舶無線装置１は、制御信号Ｃの送受信で圏内判定部１３、船舶選択部１４、呼出信号生成部１５を制御する制御部１０と、制御部１０が動作するのに必要な情報を記憶しておく記憶部１１と、操作者からの入力を受け付けるキー入力部１２と、船舶識別装置などが出力する他船舶の情報から予め設定された船舶が無線通信の圏内かどうかを判定する圏内判定部１３と、操作者からの入力により予め設定された船舶の一つを選択し呼出信号生成部１５に呼出信号を生成させる船舶選択部１４と、船舶選択部１４からの情報と操作者からの入力情報に基づいて呼出信号を生成する呼出信号生成部１５と、各種情報を表示する表示部１６と、自船舶の識別番号等の固有情報を記憶する固有情報記憶部１７と、アンテナ１９を介して他船舶等と無線通信する無線通信部１８と、無線通信部１８が出力する音声を再生するスピーカ２０と、無線通信部１８を介して他の船舶等と通話を行うレシーバ２１と、アンテナ２３を介して呼出信号を受信し自船舶が呼び出されているかを監視する聴守受信部２２と、無線通信部１８の周波数チャネルの設定を行うチャネル制御部２４とを備えている。
【００２９】
このような船舶無線装置１の圏内判定部１３には、無線通信部１８により無線通信が可能な距離が通信可能圏内の距離として設定され、また、通信可能圏内に存在するか否かを判定する対象となる船舶の識別番号が設定されている。
【００３０】
そして、圏内判定部１３には、例えば、船舶識別装置が出力する他船舶情報信号Ｉが入力される。この信号は、他の船舶それぞれについての運航情報や固有情報を情報要素として配列した他船舶情報を含んでいる。
【００３１】
図２は、他船舶情報の構成を示す図である。他船舶情報は、図２に示すように、識別番号、緯度および経度で表される位置、自船舶の船首方向を０°とした方位、自船舶からの距離、対地速度、北方を０°とした進路方向、および船名が配列されている。図２において、識別番号から船名までの一行で表記されている一連の情報を一つの情報要素としている。なお、他船舶情報には、積荷の種類、目的港、到着予定時刻等の固有情報を含んでもかまわない。
【００３２】
圏内判定部１３は、このような他船舶情報に基づいて、予め設定された識別番号の船舶が、予め設定された通信可能圏内かどうかを判定し、目的の船舶が通信可能圏内か圏外かを表示させるようになっている。
【００３３】
具体的には、圏内判定部１３は、入力された他船舶情報の識別番号から、予め設定された識別番号があるかを検索し、他船舶情報に一致する識別番号が無い船舶は圏外とする。
【００３４】
他船舶情報に一致する識別番号が有った場合、該当する識別番号の情報要素の自船舶からの距離を参照し、この距離が予め設定された通信可能圏内の距離以下かを判定し、通信可能圏内の距離より長い船舶は圏外とし、通信可能圏内の距離以下の船舶は圏内とする。
【００３５】
このような判定を、圏内かどうか判定するように設定されている全ての船舶について行い、結果をそれぞれの船舶の情報要素に追加し、呼び出すべき船舶を選択するためのキー入力番号を割り当てて、それぞれの船舶の情報要素に追加し、圏内かどうか判定するように設定されている全ての船舶の情報要素を表示部１６および船舶選択部１４に出力する。
【００３６】
表示部１６は、入力された情報要素に基づき、図３に示すような判定結果を出力し、制御部１０は、表示された判定結果から船舶を選択するためのキー入力待ち状態になる。
【００３７】
図３に示すように、圏内判定部１３で割り当てられたキー入力番号が「呼出キー」の欄に表示されていて、操作者はこの呼出キーの欄に示されるキーをキー入力部１２から入力することで対応する船舶を呼び出すことができるようになっている。
【００３８】
例えば、図３のような表示状態において、操作者が「圏内」になっている識別番号「５６４６４７８４８」の船舶を呼び出したい場合、「呼出キー」の欄に表示されているキー「１」をキー入力部１２から入力する。
【００３９】
制御部１０は、入力されたキーの情報とともに該キーが選択された旨を制御信号Ｃで船舶選択部１４に通知し、表示部１６に運用チャネルの入力を求める表示を行う。
【００４０】
船舶選択部１４は、キーが選択された旨の通知を受けると、圏内判定部１３から入力された情報要素から、キー入力番号が選択されたキーと一致する情報要素を呼出信号生成部１５に入力する。
【００４１】
次に、操作者が、キー入力部１２に運用チャネルの情報を入力すると、制御部１０は、入力された運用チャネルの情報Ｗを呼出信号生成部１５に制御信号Ｃで通知する。ここで、運用チャネルとは、上述したように、相手方を呼び出してお互いを認識した後に無線通信を続行するための周波数チャネルのことである。
【００４２】
なお、運用チャネルの情報をキー入力させる構成とせず、予め運用チャネルとして割り当てられた無線チャネルの情報を記憶部１１に保持しておき、制御部１０が記憶部１１から自動的に読み出し、呼出信号生成部１５に通知するようにしてもよい。
【００４３】
呼出信号生成部１５は、入力された情報要素、固有情報記憶部１７に予め記憶されている自船舶の固有情報、および運用チャネルの情報Ｗに基づいて呼出信号Ａを生成する。ここで、呼出信号Ａとは、他の船舶を無線通信によって呼び出すための信号であり、呼び出すべき船舶および自船舶の識別番号、ならびに呼出後に用いる運用チャネルに関する情報を含んでいる。呼出信号Ａには、更に、呼び出すべき船舶および自船舶の船名等、人の固有情報を含ませることが可能である。
【００４４】
呼出信号生成部１５は、入力された情報要素から呼び出すべき船舶の識別番号等の固有情報を抽出し、固有情報記憶部１７から自船舶の識別番号等の固有情報を取得し、呼び出すべき船舶の固有情報と自船舶の固有情報と通知された運用チャネルの情報とにより呼出信号Ａを生成し、無線通信部１８に入力する。
【００４５】
無線通信部１８は、入力された呼出信号Ａを無線信号に変換してアンテナ１９を介して送信する。なお、呼出信号生成部１５は、呼出チャネルに関する情報をチャネル制御部２４に入力しており、チャネル制御部２４は、呼出チャネルによって呼出信号Ａが送信されるように無線通信部１８を制御するようになっている。
【００４６】
アンテナ１９から電磁波として送信された呼出信号Ａは、複数の他の船舶に搭載された無線装置により受信される。
【００４７】
呼出信号生成部１５は、呼出信号Ａに含ませた情報を表示部１６に出力し、表示部１６は、この情報に基づいて、呼出信号Ａが送信される際には図４に示すような表示を行う。なお、表示内容は、呼出チャネル、呼び出すべき船舶の識別番号、および運用チャネルとしているが、呼び出すべき船舶の識別番号以外の固有情報を表示させるようにしてもよい。
【００４８】
呼出信号生成部１５は、更に運用チャネルの情報Ｗをチャネル制御部２４に入力している。チャネル制御部２４は、この情報に基づいて、呼出信号Ａが送信された後、呼び出した船舶の無線装置の操作者が応答するための通信を運用チャネルで行えるよう、予め定められたタイミングで無線通信部１８の受信周波数を制御するようになっている。
【００４９】
無線通信部１８は、アンテナ１９を介して呼び出した船舶の無線装置の操作者の応答による信号を受信し、スピーカ２０によって船舶無線装置１の操作者に応答があった旨を伝える。以降は、レシーバ２１によって船舶無線装置１の操作者と呼び出した船舶の無線装置の操作者との通話が行われる。
【００５０】
なお、本実施形態においては、無線通信部１８を介しての通信は、音声通信としたが、ファクシミリデータや画像データ等を通信するデータ通信を行ってもかまわない。
【００５１】
次に、船舶無線装置１が呼出を受ける場合の動作について説明する。
【００５２】
聴守受信部２２は、随時、他の船舶に搭載された無線装置から送信される呼出信号をアンテナ２３を介して受信しており、受信した呼出信号から呼び出すべき船舶の識別番号を抽出し、抽出した識別番号と固有情報記憶部１７に記憶されている自船舶の識別番号とを照合し、自船舶が呼び出されているかを判定する。
【００５３】
聴守受信部２２は、自船舶が呼び出されていると判定すると、受信した呼出信号に含まれている情報を表示部１６に入力し、表示部１６は、この情報に基づいて、図５に示すような、他の船舶から呼び出された旨の表示を行う。なお、表示内容は、呼出チャネル、呼出元船舶の識別番号、呼出元船舶の船名、および運用チャネルとしているが、呼出元船舶の識別番号以外の固有情報を表示させるようにしてもよい。
【００５４】
また、聴守受信部２２は、受信した呼出信号から運用チャネルの情報を抽出し、チャネル制御部２４に入力する。チャネル制御部２４は、入力された情報に基づいて無線通信部１８の周波数チャネルを運用チャネルに設定する。
【００５５】
このような処理動作の後、呼び出された船舶無線装置１の操作者は、レシーバ２１を介して呼出元の船舶の無線装置の操作者に対して応答のための通話を行うことができ、以降は、レシーバ２１によって呼出元の船舶の無線装置の操作者と船舶無線装置１の操作者による通話が行われる。
【００５６】
このように本実施形態においては、圏内判定部１３が、船舶識別装置等が出力する他船舶情報に基づいて、予め設定された船舶が予め設定された無線通信可能な距離の圏内に居るかどうかで通信可能圏内かを判断し、この結果を表示部１６に表示しているので、設定された船舶との通信可否が一目瞭然となり、呼出をするか否かの判断を容易に行うことができる。
【００５７】
また、通信可能圏内に入ってきたことが直ぐに分かるので、通信の機会を失うことを減らすことができる。
【００５８】
また、通信が可能か否かが分かるので、呼出周波数における無駄な呼出を減らすことができ、電波資源を有効に利用することができる。
【００５９】
また、通信可能圏内か否かの表示中に、表示上で各船舶に割り付けられた呼出キーを入力し運用チャネルを入力することで、対応する船舶の無線装置を呼び出し、運用チャネルによる通信が可能な状態になるので、目的の船舶を短時間で呼び出すことができる。
【００６０】
なお、本実施形態においては、表示部１６に圏内か圏外かを表示するのみだが、対象船舶が通信可能圏内に入った場合に、音や光で通知するようにしてもよい。
【図面の簡単な説明】
【００６１】
【図１】本発明の一実施形態の船舶無線装置のブロック図である。
【図２】本発明の一実施形態の船舶無線装置に入力される他船舶情報の構成を示す図である。
【図３】本発明の一実施形態の船舶無線装置の設定された船舶の圏内／圏外の表示を示す図である。
【図４】本発明の一実施形態の船舶無線装置の呼出信号送信時の表示を示す図である。
【図５】本発明の一実施形態の船舶無線装置の呼出信号受信時の表示を示す図である。
【符号の説明】
【００６２】
１  船舶無線装置
１０  制御部
１１  記憶部
１２  キー入力部
１３  圏内判定部
１４  船舶選択部
１５  呼出信号生成部
１６  表示部
１７  固有情報記憶部
１８  無線通信部
１９  アンテナ
２０  スピーカ
２１  レシーバ
２２  聴守受信部
２３  アンテナ
２４  チャネル制御部
【図１】
2008160706.tif 000003
【図２】
2008160706.tif 000004
【図３】
2008160706.tif 000005
【図４】
2008160706.tif 000006
【図５】
2008160706.tif 000007